(57)【特許請求の範囲】
【請求項１】
正面に点検、修理等の保守を行うための開放領域を備えた箱状の筺体と、前記筺体の内部に配置され吸込口から送られてくる空気と熱交換する熱交換器と、前記筐体の中段辺りに設けられ前記筐体の正面側に向けて引き出される引出棚と、前記引出棚に取り付けられ前記熱交換器で熱交換された空気を吹き出すファンケーシング及びこれに内蔵されたファンランナーよりなる送風機と、前記ファンランナーを駆動する電動モータと、前記筐体の上側に設けられた筐体側吹出口と、前記ファンケーシングから吹き出された空気を前記筐体側吹出口に送る前記筐体側吹出口に固定された空気ダクトと、前記筺体の開放領域を塞ぐパネルカバーを備えた床置き型空気調和装置において、
前記ファンケーシングに形成されたファンケーシング側吹出口と前記筐体側吹出口に固定された前記空気ダクトの入口との間を所定の距離の隙間をおいて前記ファンケーシングと前記空気ダクトとを分離し、前記ファンケーシング側吹出口と前記空気ダクトの入口との間を着脱可能な中継空気ダクトで接続すると共に、前記中継空気ダクト内に圧力損失を低減する風向ガイドを取り付けたことを特徴とする床置き型空気調和装置。
【請求項２】
請求項１に記載の床置き型空気調和装置において、
前記中継空気ダクトは前記ファンケーシング側吹出口及び前記空気ダクトの入口と固定ねじによって固定され、前記固定ねじを外すことによって前記中継空気ダクトは前記筐体の正面側に向かって引き出されることを特徴とする床置き型空気調和装置。
【請求項３】
請求項２に記載の床置き型空気調和装置において、
前記空気ダクトの入口と前記ファンケーシング側吹出口は実質的に同じ寸法の矩形に形成され、前記空気ダクトの背面部と前記ファンケーシング側吹出口の背面部は互いに重なって配置されていると共に、前記空気ダクト及び前記ファンケーシング側吹出口の正面部及び側面部の間の前記隙間を、前記隙間の長さより長い前記中継空気ダクトで塞ぐことを特徴とする床置き型空気調和装置。
【請求項４】
請求項３に記載の床置き型空気調和装置において、
前記ファンケーシング側吹出口の背面部は前記空気ダクトの背面部の内側に位置するように配置されていることを特徴とする床置き型空気調和装置。
【請求項５】
請求項３に記載の床置き型空気調和装置において、
前記空気ダクトの正面部には前記中継空気ダクトに取り付けられた風向ガイドが通過するための引出開口が形成されており、前記引出開口は着脱可能な引出開口蓋によって塞がれていることを特徴とする床置き型空気調和装置。
【請求項６】
請求項３に記載の床置き型空気調和装置において、
前記ファンケーシング側吹出口は適正な吹出開口を確保する導風板を備えており、前記風向ガイドは前記導風板から流路面積を大きくするように前記空気ダクトの所定の長さの内部まで伸びて前記空気ダクトの前記背面部に至り、更に前記風向ガイドの両端と前記空気ダクトの前記側面部の間に所定の隙間を形成したことを特徴とする床置き型空気調和装置。
【発明の詳細な説明】
【技術分野】
【０００１】
本発明は床置き型空気調和装置に係り、特に床置き型空気調和装置の正面から送風機を引き出して送風機の点検、修理を行うことができる床置き型空気調和装置に関するものである。
【背景技術】
【０００２】
室内の床面に設置して室内の空調を行う床置き型空気調和装置は、床置き型空気調和装置の外郭を構成する筺体の内部に熱交換器路と送風機を設け、熱交換器を通して熱交換された空気を、電動モータで回転される送風機によって室内に吹き出して空調を行うものである。このような床置き型空気調和装置は、例えば、工場での生産ラインの対人用空調、機械室の空調、保管倉庫の空調、駅構内の空調、及びホールなどの空間の空調等に使用されるものである。
【０００３】
このような床置き型空気調和装置において、送風機はファンケーシングと、ファンケーシング内に収納されたファンランナーで構成され、ファンランナーはファンケーシングの側方下部に配置された電動モータによって駆動されるものである。電動モータの回転駆動力は、電動モータの回転軸に固定されたプーリの回転がベルト等を介してファンランナーの回転軸に固定されたプーリへ伝達され、これによってファンランナーを回転させるものである。これにより、筺体の内部に空気の流れを形成して、ファンケーシングが有している吸気口から熱交換器を介して空調された空気を吸い込むと共に、ファンケーシングの吹出口から空調された空気を室内に送風するものである。
【０００４】
ところで、この種の床置き型空気調和装置は室内で使用されるので衛生上の観点から清潔にしておく必要があり、送風機内部の各部品を洗浄できることが望ましく、また保守上の観点から送風機内部の部品を定期的に点検、修理できることが望ましい。このような要請から、送風機の洗浄を行うため特開２００６−１０１７７号公報（特許文献１）では、ファンケーシングの一部にメンテナンス開口を形成し、このメンテナンス開口を覆うメンテナンスパネルを着脱自在に設けることが提案されている。
【０００５】
そして、特許文献１においては、通常運転の場合はメンテナンスパネルによってメンテナンス開口を塞いでファンケーシングの機能を持たせ、内部のファンランナーを洗浄する場合はメンテナンスパネルを取り外してメンテナンス開口を露出させ、このメンテナンス開口から水等の洗浄液を流してファンランナーを洗浄するものである。ただ、特許文献１に記載の空気調和装置ではファンランナーの洗浄を主目的にしているため、送風機の点検、修理の観点からの検討はされておらず、この点についての具体的な提案はなされていない。
【先行技術文献】
【特許文献】
【０００６】
【特許文献１】特開２００６−１０１７７号公報
【発明の概要】
【発明が解決しようとする課題】
【０００７】
ところで、最近の床置き型空気調和装置においては、空気調和装置を構成する筐体の前側の正面又は背面より空気を吸い込み、熱交換器、送風機を通して筐体上部に設けられた吹出口より空調された空気を室内に吹き出す構造となっている。この場合、特許文献１にもあるように、送風機は筐体の上部（床面より１．７ｍ程度）に配置されていることが多く、送風機の点検や修理による部品の交換作業では、室内であるためクレーン等の設備が使えないことが多い。
【０００８】
このため、点検、修理等のメンテナンス性を考慮して、送風機を筐体の中段辺りに設置し、筐体の前側の正面を開放して送風機を前側に引き出せるようにして送風機の点検、修理を行える構成にしたものが提案されている。このような構成を採用すると、点検、修理を行う作業者は送風機を筐体の正面から外側に引き出して露出させ、自由な状態で送風機を分解して点検、修理を行うことができる。
【０００９】
ところが送風機を筐体の中段辺りに設置すると、送風機のファンケーシングに形成したファンケーシング側吹出口と筐体の上部に設けた筐体側吹出口の間が距離的に離れることになるので、ファンケーシング側吹出口と筐体側吹出口までをつなぐ空気ダクトが必要となる。しかも、この空気ダクトを使用すると、ファンケーシング側吹出口の流路横断面形状と空気ダクトの流路横断面形状が異なることによる圧力損失が発生する。このため、空気ダクト内に圧力損失を低減する風向ガイドを配置し、ファンケーシング側吹出口から筐体側吹出口に向かって空気ダクトの流路面積を徐々に大きくする構成としている。
【００１０】
しかしながら、このような構成の床置き型空気調和装置においては、空気ダクトや風向ガイドはファンケーシング側吹出口と筐体側吹出口に固定されているため、点検、修理の際に送風機と風向ガイドを引き出すことが困難であるという課題があった。このため、点検、修理の際に送風機と風向ガイドを筐体の正面側に簡単に引き出すことができる構成が強く望まれている。
【００１１】
本発明の目的は、送風機や風向ガイドを筐体の正面側に簡単に引き出すことができる床置き型空気調和装置を提供することにある。
【課題を解決するための手段】
【００１２】
本発明の特徴は、ファンケーシング側吹出口と筐体側吹出口に固定された空気ダクトの入口との間を所定の距離の隙間をおいてファンケーシングと空気ダクトとを分離し、ファンケーシング側吹出口と空気ダクトの入口との間を着脱可能な中継空気ダクトで接続すると共に、中継空気ダクト内に風向ガイドを取り付ける構成としたところにある。
【発明の効果】
【００１３】
本発明によれば、中継空気ダクトを取り外すことによって送風機と空気ダクトを分離することで送風機を筐体の正面側に簡単に引き出すことができ、送風機の点検、修理を容易に行うことができるという効果を有する。もちろん、風向ガイドも中継空気ダクトと一緒に取り外すことができる。
【図面の簡単な説明】
【００１４】
【図１】本発明の一実施例になる、上部パネルカバーと下部パネルカバーを取り外した状態の床置き型空気調和装置の正面図である。
【図２】側面カバーを取り外した状態の床置き型空気調和装置の右側面図である。
【図３】図１に示す送風機から筐体上部に設けた筐体側吹出口までの構造を示す縦断側面図である。
【図４】図１に示すファンケーシングの構造を示す斜視図である。
【図５】図１に示す床置き型空気調和装置の送風機を取り外す工程を説明するための分解斜視図である。
【発明を実施するための形態】
【００１５】
以下、本発明の実施形態について図面を用いて詳細に説明するが、本発明は以下の実施形態に限定されることなく、本発明の技術的な概念の中で種々の変形例や応用例をもその範囲に含むものである。
【００１６】
図１、図２において、床置き型空気調和装置は筐体１を備えており、筐体１は基礎となる底面部２、意匠面となる右側面カバー３、左側面カバー４、及び上側カバー５とから構成されている。筐体１の前側である正面には開放領域が形成され、この開放領域に意匠面となる上部パネルカバー８と下部パネルカバー９とが着脱可能に取り付けられている。この上部パネルカバー８と下部パネルカバー９は床置き型空気調和装置の点検、修理の際に取り外されることになる。尚、上部パネルカバー８と下部パネルカバー９は、筐体１の上側と下側に回動して筐体１の正面を開放することも可能である。
【００１７】
図２にあるように、筐体１の背面には室内空気を吸い込むための吸込口６が形成されており、内側に熱交換器１１が配置されている。熱交換器１１には図示しない冷凍サイクルからの冷媒が供給されている。筐体１の上側カバー５には２個の筐体側吹出口７が設けられており、熱交換器１１によって空調された空気が室内に吹き出されるものである。
【００１８】
筐体１の底面部２の上には電動モータ１２が設置されており、これの回転軸にプーリ１５が固定されている。電動モータ１２の上側で筐体１の中段辺り（筐体１の高さ方向の中央付近）には引出棚１８が取り付けられている。この引出棚１８は、筐体１の右側面カバー３と左側面カバー４の内側に固定されたレール１０の上を滑らせる構造である。これによって引出棚１８は筐体１の正面に向けて移動でき、更には筐体１を越えて外部に露出するまで引き出すことが可能となる。
【００１９】
引出棚１８の上には２個のファンケーシング１３が取り付けられており、ファンケーシング１３の内部にはファンランナー１４が内蔵されている。ファンランナー１４の回転軸１７にはプーリ１５が固定されており、このプーリ１５はＶベルト１６によって電動モータ１２側のプーリ１５と連結されている。この電動モータ１２側のプーリ１５の回転はＶベルト１６を介してファンランナー１４側のプーリ１５に伝えられ、これによってファンランナー１４が回転するものである。
【００２０】
筐体側吹出口７には空気ダクト１９の出口が固定されており、これによって筐体側吹出口７は空気ダクト１９の出口と接続されている。空気ダクト１９の入口はファンケーシング１３のファンケーシング側吹出口と所定の距離の隙間をおいて離れており、ファンケーシング１３と空気ダクト１９とはそれぞれ分離されている。
【００２１】
ファンケーシング１３のファンケーシング側吹出口と空気ダクト１９の入口の間には中継空気ダクト２２が配置され、この中継空気ダクト２２によってファンケーシング側吹出口と空気ダクト１９の入口とが隙間なく接続されている、この中継空気ダクト２２は固定ねじ２４を利用して、ファンケーシング側吹出口と空気ダクト１９を形成する板材に着脱可能に取り付けられている。中継空気ダクト２２を取り外す場合、固定ねじ２４を外すことによって中継空気ダクト２２は筐体の正面に向けて引き出すことが可能となる。
【００２２】
空気ダクト１９の正面側には中継空気ダクト２２を引き出すための引出開口（図示せず）が形成されている。この引出開口は中継空気ダクト２２内に取り付けられた風向ガイド（図示せず）を空気ダクト１９から引き出すための開口である。したがって、通常の運転状態では空気ダクト１９としての機能を確保するため、引出開口を塞ぐ引出開口蓋２３によって塞がれている。この引出開口蓋２３も固定ねじ２４を利用して空気ダクト１９を形成する板材に着脱可能に取り付けられている。したがって、中継空気ダクト２２を取り外す場合は、引出開口蓋２３を取り外した後に中継空気ダクト２３を取り外せば良いものである。
【００２３】
本実施例では、空気ダクト１９は筐体１と別体であるが、筐体１自身に空気ダクト１９を形成する構造でもよく、また、送風機の台数は２台に限らず１台でも３台以上であっても差し支えないものである。
【００２４】
次にファンケーシング１３、空気ダクト１９、中継空気ダクト２２付近の構成について図３及び図４を用いて説明する。
【００２５】
ファンケーシング１３のファンケーシング側吹出口２５は導風板２０を備えており、この導風板２０とファンケーシング側吹出口２５とによって吹出開口２６が形成されている。導風板２０は送風機性能を確保するためのものであり、ファンランナー１４をファンケーシング１３に入れた後、導風板２０で出口を一部塞いで吹き出し開口２６の開口面積を適正にしている。このため、空気が吹き出す流路面積はファンケーシング１３のファンケーシング吹出口２５の外周枠より小さくなる。したがって、ファンケーシング側吹出口２５の外周枠に取り付ける中継空気ダクト２２によって空気ダクト１９と単純に接続した場合、流路面積が急拡大することによって圧力損失が発生する。
【００２６】
本実施例では、導風板２０先端面部より空気ダクト１９の入口１９Ｄ側に向けて徐々に流路面積を拡大する風向ガイド２１を設けて圧力損失を抑えるようにしている。この風向ガイド２１は、中継空気ダクト２２の左右の側面で固定ねじによって固定されている。風向ガイド２１の先端は中継空気ガイド２２の上端面より外側に向けて突出するように露出されており、風向ガイド２１の先端は空気ダクト１９の背面部１９Ｂの内側面に至るまで延びている。ここでは、空気ダクト１９の背面部１９Ｂの内側面に接触するまで延びている。
【００２７】
このように、風向ガイド２１は図３にある通り、ファンケーシング１３のファンケーシング側吹出口２５から空気ダクト１９の所定の長さの内部まで延びている。また、風向ガイド２１の両側面は空気ダクト１９の両側面と僅かの隙間（中継空気ダクト２２を構成する板部材の厚みの相当する）を介して対向しており、空気が風向ガイド２１の両側面から漏れるのをできるだけ少なくしている。このように隙間を設ける理由は、風向ガイド２１が一体化された中継空気ダクト２２を引き出す時に、空気ダクト１９の両側面と接触せずに円滑に引き出すためである。
【００２８】
空気ダクト１９の入口１９Ｄの形状は矩形に形成されており、ファンケーシング１３のファンケーシング側吹出口２５の形状も矩形である。また、それぞれの矩形の寸法も実質的に同じである。したがって、中継空気ダクト２２はこれらを外側から覆うため、平面板を組み合わせて形成できるので製作が容易である。
【００２９】
空気ダクト１９の入口１９Ｄとファンケーシング１３のファンケーシング側吹出口２５とは所定の距離Ｌ１の隙間をおいて離れている。したがって、空気ダクト１９とファンケーシング１３は分離されていることになる。ただし、空気ダクト１９の背面部１９Ｂとファンケーシング側吹出口２５の背面部２５Ｂは相互に重なり合う形状にその長さが決められている。更に、ファンケーシング１３を正面側に引き出すために、ファンケーシング側吹出口２５の背面部２５Ｂは空気ダクト１９の背面部１９Ｂの内側に位置するようになっている。この状態でファンケーシング側吹出口２５の背面部２５Ｂに設けたねじ孔２７から固定ねじを空気ダクト１９の背面部１９Ｂに向けてねじ込むことで両者を固定することができる。もちろん、この固定ねじを取り外せば両者の固定状態を解除することになる
上述したように、空気ダクト１９の入口１９Ｄとファンケーシング１３のファンケーシング側吹出口２５とは所定の距離Ｌ１だけ離れている。そして、この距離Ｌ１より長い長さを有する中継空気ダクト２２が空気ダクト１９の入口１９Ｄとファンケーシング１３のファンケーシング側吹出口２５を隙間なく接続している。中継空気ダクト２２は正面部２２Ａと左右側面部２２Ｃを有する「コ」状に形成されており、空気ダクト１９の入口１９Ｄとファンケーシング１３のファンケーシング側吹出口２５を外側から覆うようにして両者を固定ねじで固定するものである。このため、固定ねじを外せば中継空気ダクト２２は筐体１の正面側に向けて、空気ダクト１９の入口１９Ｄとファンケーシング１３のファンケーシング側吹出口２５から引き出すことが可能となる
つまり、中継空気ダクト２２の正面部２２Ａはファンケーシング側吹出口２５の正面部２５Ａが相互に重なり、両者が固定ねじによって固定されるものである。尚、空気ダクト１９の正面部１９Ａは後述する引出開口２７があるため固定ねじによる固定は実施されないものである。また、中継空気ダクト２２の両側面２２Ｃはファンケーシング側吹出口２５の側面部２５Ｃと空気ダクト１９の側面部１９Ｃとが相互に重なり、両者が固定ねじによって固定されるものである。
【００３０】
したがって、ファンケーシング側吹出口２５の側面部２５Ｃと空気ダクト１９の側面部１９Ｃの間の隙間と、ファンケーシング側吹出口２５の正面部２５Ａと空気ダクト１９の正面部１９Ａの間の隙間は中継空気ダクト２２によって塞がれる形となる。尚、後述するように引出開口蓋２３が空気ダクト１９の正面部１９Ａの役割を果たすので、この場合は中継空気ダクト２２の正面部２２Ａの上端は引出開口蓋２３の下端と衝き合わせた状態で接触することになる。
【００３１】
また、中継空気ダクト２２はそれぞれの固定ねじを取り外すと自由な状態となり、筐体１の正面に向けて取り外すことが可能となる。もちろん、風向ガイド２１は中継空気ダクト２２に固定されているので、中継空気ガイド２２と一緒に取り外されることになる。
【００３２】
空気ダクト１９の正面部１９Ａには、入口１９Ｄの端面から所定の距離にわたって延びる引出開口２７が形成されている。この引出開口２７は中継空気ダクト２２を引き出す際に、風向ガイド２１も同時に引き出すための開口である。したがって、引出開口２７の内側端面と、風向ガイド２１の先端面の間には所定の距離Ｌ２の逃げが形成されている。このため、中継空気ダクト２２を引き出す時に風向ガイド２１が空気ダクト１９の正面部１９Ａを形成する板材との干渉を避けることができる。
【００３３】
引出開口２７を開けたままにしておくと空気ダクト１９の機能を果たさなくなるので、引出開口蓋２３によって引出開口２７が外側から塞がれる構成となっている。これによって、通常の運転状態では引出開口２７は空気ダクト１９の正面部１９Ａとして機能することになる。尚、本実施例では中継空気ダクト２２と引出開口蓋２３は別の部品として構成しているが、必要によって中継空気ダクト２２と引出開口蓋２３を一体的に形成することも可能である。
【００３４】
次に本実施例による具体的な点検、修理の手順について図４を用いて説明すると、まず、引出開口蓋２３の固定ねじを取り外して引出開口蓋２３を空気ダクト１９の正面部１９Ａから取り外す。これによって、風向ガイド２１が通過する空間が確保されることになる。
【００３５】
次に、中継空気ダクト２２の固定ねじを取り外す。この場合、中継空気ダクトの正面部２２Ａとファンケーシング側吹出口２５の正面部２５Ａを固定している固定ねじと、中継空気ダクトの側面部２２Ｃと空気ダクト１９の側面部１９Ｃ及びファンケーシング側吹出口２５の側面部２５Ｃを固定している固定ねじがあるので、これらをすべて取り外すことになる。これによって、中継空気ダクト２２は自由な状態となる。
【００３６】
次に、中継空気ダクト２２を筐体１の正面側に引き出すと、風向ガイド２１も一緒に引き出されることになる。風向ガイド２１は引出開口２７によって何の障害もなく引き出すことが可能である。中継空気ダクト２２を引き出す時は、風向ガイド２１の下側端面がファンケーシング側吹出口２５の正面部２５Ａの上端を乗り越えるようにして取り外すことができる。
【００３７】
次に、中継空気ダクト２２が存在しないことからファンケーシング側吹出口２５の背面部２５Ｂが露出されることになる。したがって、ファンケーシング側吹出口２５の背面部２５Ｂと空気ダクト１９の背面部１９Ｂとを固定している固定ねじを容易に取り外すことができる。これによって、空気ダクト１９とファンケーシング１３は完全に分離されたことになる。
【００３８】
次に、引出棚１８を筐体１の正面側に引き出すと、引出棚１８に取り付けられたファンケーシング１３も一緒に引き出され、作業者は送風機の点検、修理を容易に行うことができるようになる。点検、修理が終了すると、上述した作業の逆の手順で組み付けていくことで空調装置を復元することになる。
【００３９】
以上述べた通り、本発明はファンケーシング側吹出口と筐体側吹出口に固定された空気ダクトの入口との間を所定の距離をおいてファンケーシングと空気ダクトとを分離し、ファンケーシングの吹出口と空気ダクトの入口との間を着脱可能な中継空気ダクトで接続すると共に、中継空気ダクト内に風向ガイドを取り付ける構成とした。
【００４０】
これによって、中継空気ダクトを取り外すことによって風向ガイドと送風機を筐体の正面側に簡単に引き出すことができ、送風機の点検、修理を容易に行うことができるという効果を奏する。
【符号の説明】
【００４１】
１…筐体、２…底面部、３…右側面カバー、４…左側面カバー、５…上面カバー、６…吸込口、７…筐体側吹出口、８…上部パネルカバー、９…下部パネルカバー、１０…レール、１１…熱交換器、１２…電動モータ、１３…ファンケーシング、１４…ファンランナー、１５…プーリ、１６…Ｖベルト、１７…回転軸、１８…引出棚、１９…空気ダクト、２０…導風板、２１…風向ガイド、２２…中継空気ダクト、２３…引出開口蓋、２４…固定ねじ、２５…ファンケーシング側吹出口、２６…吹出開口、２７…引出開口。
【図１】
0006313160.tif 000002
【図２】
0006313160.tif 000003
【図３】
0006313160.tif 000004
【図４】
0006313160.tif 000005
【図５】
0006313160.tif 000006